(57)【特許請求の範囲】
【請求項１】
液晶表示パネルのゲートラインを駆動するゲートドライバの出力数が、該液晶表示パネルの垂直方向の表示ラインの本数よりも多い液晶表示装置の駆動回路であって、
前記表示ラインの本数をｍとし（ｍ≧１）、走査を開始する側における前記ゲートドライバの出力数の余りをｎとすると（１≦ｎ≦ｍ）、前記ゲートドライバの出力に余りがある側から前記ゲートドライバを走査する場合に、前フレームの表示期間の先頭から（ｍ−ｎ＋ｋ＋１）ライン目に（１≦ｋ≦Ｖラインカウンタのカウント値に基づく垂直ブランク期間）、次フレームに対するゲートスタートパルス信号を出力し、垂直ブランク期間においてゲートドライバクロック信号をｋパルスだけ出力し、次フレームの表示期間の先頭からゲートドライバクロック信号の出力を再開し、
前記ゲートドライバは、前記ゲートスタートパルス信号を受けると、前記ゲートドライバクロック信号に同期して前記ゲートドライバの複数の出力端子から順次出力信号を送出する、駆動回路。
【請求項２】
前記ゲートスタートパルス信号を、表示データイネーブル信号に基いて生成する、請求項１に記載の駆動回路。
【請求項３】
表示データイネーブル信号を受け、該表示データイネーブル信号と同一の周期を有する内部基準信号を生成する内部基準信号生成回路と、
前記内部基準信号におけるパルス数をカウントするＶラインカウンタと、
前記表示データイネーブル信号の有無を判定して垂直ブランク期間を識別し、垂直ブランク期間においてアクティブとなるＶブランク判定信号を生成するＶブランク判定回路と、
前記Ｖラインカウンタのカウント値が（ｍ−ｎ＋ｋ＋１）となった場合には制御信号を出力する比較器と、
前記制御信号を受けた場合にはゲートスタートパルス信号を生成するＶＳＰ生成回路と、
前記Ｖラインカウンタのカウント値が（ｍ＋ｋ＋１）となった場合にはＶＣＫ停止信号をアクティブとし、前記Ｖブランク判定信号が非アクティブとなった場合には該ＶＣＫ停止信号を非アクティブとするＶＣＫ停止判定回路と、
前記ＶＣＫ停止信号が非アクティブである期間に限り、前記内部基準信号に基いてゲートドライバクロック信号を生成するＶＣＫ生成回路と、を備える、請求項２に記載の駆動回路。
【請求項４】
前記ゲートスタートパルス信号を、水平同期信号に基いて生成する、請求項１に記載の駆動回路。
【請求項５】
水平同期信号を受け、該水平同期信号と同一の周期を有する内部基準信号を生成する内部基準信号生成回路と、
前記内部基準信号におけるパルス数をカウントするＶラインカウンタと、
前記Ｖラインカウンタのカウント値に基いて垂直ブランク期間を識別し、垂直ブランク期間においてアクティブとなるＶブランク判定信号を生成するＶブランク判定回路と、
前記Ｖラインカウンタのカウント値が（ｍ−ｎ＋ｋ＋１）となった場合には制御信号を出力する比較器と、
前記制御信号を受けた場合にはゲートスタートパルス信号を生成するＶＳＰ生成回路と、
前記Ｖラインカウンタのカウント値が（ｍ＋ｋ＋１）となった場合にはＶＣＫ停止信号をアクティブとし、前記Ｖブランク判定信号が非アクティブとなった場合には該ＶＣＫ停止信号を非アクティブとするＶＣＫ停止判定回路と、
前記ＶＣＫ停止信号が非アクティブである期間に限り、前記内部基準信号に基いてゲートドライバクロック信号を生成するＶＣＫ生成回路と、を備える、請求項４に記載の駆動回路。
【請求項６】
請求項１乃至５のいずれか１項に記載の駆動回路と、
前記駆動回路によって駆動される液晶表示パネルと、を備える、液晶表示装置。
【請求項７】
液晶表示パネルのゲートラインを駆動するゲートドライバの出力数が、該液晶表示パネルの垂直方向の表示ラインの本数よりも多い液晶表示装置の駆動方法であって、
前記表示ラインの本数をｍとし（ｍ≧１）、走査を開始する側における前記ゲートドライバの出力数の余りをｎとすると（１≦ｎ≦ｍ）、前記ゲートドライバの出力に余りがある側から前記ゲートドライバを走査する場合に、前フレームの表示期間の先頭から（ｍ−ｎ＋ｋ＋１）ライン目に（１≦ｋ≦Ｖラインカウンタのカウント値に基づく垂直ブランク期間）、次フレームに対するゲートスタートパルス信号を出力する工程と、
垂直ブランク期間においてゲートドライバクロック信号をｋパルスだけ出力する工程と、
次フレームの表示期間の先頭からゲートドライバクロック信号の出力を再開する工程と、を含み、
前記ゲートドライバは、前記ゲートスタートパルス信号を受けると、前記ゲートドライバクロック信号に同期して前記ゲートドライバの複数の出力端子から順次出力信号を送出する、駆動方法。
【発明の詳細な説明】
【技術分野】
【０００１】
本発明は、表示装置の駆動回路及び駆動方法に関する。
【背景技術】
【０００２】
表示装置において、通常の画面走査方向と逆方向の画面走査が必要とされる場合がある。例えば、下方視野角が狭い特性を有するＴＮ（Ｔｗｉｓｔｅｄ  Ｎｅｍａｔｉｃ）液晶表示パネルを用いた液晶表示装置を、利用者の目の位置よりも上方に設置する場合に、かかる画面走査が必要とされる。このような用途に対応し、液晶表示装置の汎用性を高めるには、通常の画面走査方向のみならず、逆方向の画面走査も可能とすることが好ましい。
【０００３】
走査方向を変更可能な液晶表示装置において、縦方向の走査方向を変更する場合には、ゲートドライバの余り出力数を考慮して、ゲートドライバに入力するスタートパルス信号（以下「ゲートスタートパルス信号」という）の生成位置を、通常方向に走査するときよりもゲートドライバの余り出力分だけ早く入力する必要がある。ここで、ゲートドライバの余り出力数とは、液晶表示パネルのゲートラインを駆動するゲートドライバの出力数から、液晶表示パネルの垂直方向の表示ラインの本数を差し引いた数をいう。
【０００４】
逆方向に走査する場合においても、映像信号の入力タイミングは通常方向に走査するときと同一のタイミングで入力されるため、ゲートドライバへのゲートスタートパルス信号の入力を、映像信号の入力タイミングよりも前の垂直ブランク期間に行う必要がある。このように、ゲートスタートパルス信号の入力を、当該フレームの映像信号が入力されるよりも前に行う必要があるため、ゲートスタートパルス信号の生成位置は、当該フレームの前のフレームを基準に行う必要がある。
【０００５】
また、表示データの画像処理、解像度変換等により、液晶表示装置に入力される映像信号の垂直ブランク期間がフレーム毎に変動する場合がある。
【０００６】
逆方向に走査するときにゲートドライバの出力に余りがある場合において、垂直ブランク期間が変動すると、ゲートスタートパルス信号は上述のように前フレームを基準に生成されるため、ゲートスタートパルス信号の位置が本来の位置とずれてしまい、表示が正常に行われなくなる。
【０００７】
ゲートドライバの余りがある側から走査を開始する場合における従来の駆動方法について、図面を参照して説明する。図９は、従来の液晶表示装置の駆動方法を示すタイミングチャートである。ここで、液晶表示装置は、駆動回路１０を除いて図１（後述する）に示す構成を有するものとする。
【０００８】
図９を参照すると、垂直ブランク期間中にもゲートドライバＶ−Ｄｒにゲートドライバクロック信号ＶＣＫを入力する。Ｖ方向の表示ライン数をｍとし、垂直ブランク期間におけるゲートドライバクロック信号ＶＣＫのパルス数をｒとし、ゲートドライバの出力余り数をｎとして、表示フレームの開始位置からｎゲートドライバクロック信号ＶＣＫのｎパルス数だけ前の位置に、ゲートスタートパルス信号ＶＳＰを生成する。ゲートスタートパルス信号ＶＳＰの生成位置は表示フレームの前のフレームに位置し、前のフレームの先頭から（ｍ＋ｒ−ｎ＋１）の位置に生成される。
【０００９】
このように、ゲートスタートパルス信号ＶＳＰを先行して入力することで、前フレームの垂直ブランク期間中に、ゲートドライバＶ−Ｄｒの余り出力の走査を完了し、表示フレームの先頭において、実際にパネル走査線に接続された出力（Ｇｍ）から走査を開始する。
【００１０】
しかし、この方法によると、フレーム毎に垂直ブランク期間が変動した場合には、ゲートスタートパルス信号ＶＳＰの生成位置がずれてしまい、表示に異常が生じる。
【００１１】
垂直ブランク期間が変動した場合の従来の駆動方法について、図面を参照して説明する。図１０は、従来の液晶表示装置の駆動方法を示すタイミングチャートである。図１０は、垂直ブランク期間が１ゲートドライバクロック信号分だけ延びた場合の動作を示す。
【００１２】
ゲートスタートパルス信号ＶＳＰの生成位置は、前フレームの先頭を基準として決定されるため、垂直ブランクが変動する場合においても（ｍ＋ｒ−ｎ＋１）となる。しかし、ゲートスタートパルス信号ＶＳＰが入力されてから、表示フレームの先頭までのゲートドライバクロック信号ＶＣＫのパルス数は、垂直ブランク期間が延びていることから、１クロックだけ増える。したがって、表示フレームの先頭ラインは、Ｇｍ−１番目の出力から走査が開始してしまう。すなわち、図１の構成を有する液晶表示装置の場合には、表示画面が１ラインだけ上方向にずれてしまう。
【００１３】
また、ゲートドライバの余りがある側から走査を開始する訳ではないものの、垂直ブランク期間の変動による表示異常を回避する方法が、特許文献１に記載されている。
【００１４】
図１１は、特許文献１に記載された液晶ディスプレイモジュールのタイミングチャートである。図１１を参照すると、駆動回路においてブランキング期間の開始を意味するデータイネーブル信号ＤＥの停止を検出した場合、ゲートクロック信号ＣＰＶの、例えば、ゲートクロックＣ２のタイミングで、第１スタート垂直信号ＳＴＶ１及び第２スタート垂直信号ＳＴＶ２をアクティブ状態としてその状態を保持する。また、ゲートクロック信号ＣＰＶの、例えば、ゲートクロックＣ３のタイミングで、ゲートオンイネーブル信号ＯＥをイネーブル状態としてその状態を保持するとともに、ゲートクロック信号ＣＰＶの送出を停止する。
【００１５】
この状態で駆動回路においてブランキング期間の終了を意味するデータイネーブル信号ＤＥを検出した場合、データイネーブル信号ＤＥに基づく所定のタイミングで、ゲートクロック信号ＣＰＶの送出を再開する。そして、ゲートクロック信号ＣＰＶに基づく所定のタイミングで、第２スタート垂直信号ＳＴＶ２を非アクティブ状態とし、ゲートオンイネーブル信号ＯＥを非イネーブル状態とする。
【先行技術文献】
【特許文献】
【００１６】
【特許文献１】特許第３７９８２６９号公報
【発明の概要】
【発明が解決しようとする課題】
【００１７】
以下の分析は、本発明者によってなされたものである。
【００１８】
図９及び図１０に示した従来技術によると、垂直ブランク期間がフレーム毎に変動した場合に、ゲートドライバＶ−Ｄｒのゲートスタートパルス信号ＶＳＰの生成位置がずれることから、表示が正常に行われないという問題がある。さらに、垂直ブランク期間におけるゲートドライバクロック信号ＶＣＫの数よりもゲートドライバＶ−Ｄｒの余り出力が多い場合には、垂直ブランク期間中に余り出力の走査が完了しないため、このようなゲートドライバＶ−Ｄｒを採用することができないという問題もある。
【００１９】
また、特許文献１に記載された技術（図１１参照）は、垂直ブランク期間中にゲートドライバクロック信号を停止することで、上記の問題に対処するものの、ゲートスタートパルス信号の生成は垂直ブランク期間中に行われる。この駆動方法により、ゲートドライバの余りがある側から、この駆動方法によって走査を開始する場合には、余り出力分だけ先行してゲートスタートパルス信号を入力する必要があり、先行入力分だけのゲートドライバクロック信号の入力が必要となる。
【００２０】
したがって、ゲートドライバの出力数の余りが多くなると、ゲートドライバクロック信号の停止期間が狭まり、垂直ブランクの変動許容期間が減ってしまうという問題がある。また、垂直ブランク期間におけるゲートドライバクロック信号のパルス数よりも、出力数の余りが多いゲートドライバを採用することができないという問題もある。
【００２１】
表示解像度と比較してゲートドライバの出力数が多い液晶表示装置において、垂直方向反転スキャン表示を行う場合には、ゲートドライバの余りがある側から走査を開始する必要がある。このような場合、垂直ブランク期間中に、次フレーム走査のためのゲートスタートパルス信号を生成すると、垂直ブランク期間におけるゲートドライバクロック信号のパルス数よりも余り出力数が大きいゲートドライバは、表示がずれてしまうことから採用することができない。
【００２２】
また、垂直ブランク期間にゲートドライバクロック信号を生成して、ゲートドライバを走査すると、垂直ブランク期間が変動した場合、ゲートドライバクロック信号のパルス数も変化し、ゲートドライバの走査数が想定とずれることにより、表示がずれるという問題がある。
【００２３】
そこで、表示パネルのゲートラインを駆動するゲートドライバの出力数が、表示パネルの垂直方向の表示ラインの本数よりも多い表示装置において、垂直ブランク期間中に走査可能なゲートドライバクロック信号のパルス数よりも出力数の余りが多いゲートドライバを採用可能とすることが課題となる。本発明の目的は、かかる課題を解決する駆動回路及び駆動方法を提供することにある。
【課題を解決するための手段】
【００２４】
本発明の第１の視点に係る駆動回路は、
液晶表示パネルのゲートラインを駆動するゲートドライバの出力数が、該液晶表示パネルの垂直方向の表示ラインの本数よりも多い液晶表示装置の駆動回路であって、
前記表示ラインの本数をｍとし（ｍ≧１）、走査を開始する側における前記ゲートドライバの出力数の余りをｎとすると（１≦ｎ≦ｍ）、前記ゲートドライバの出力に余りがある側から前記ゲートドライバを走査する場合に、前フレームの表示期間の先頭から（ｍ−ｎ＋ｋ＋１）ライン目に（１≦ｋ≦Ｖラインカウンタのカウント値に基づく垂直ブランク期間）、次フレームに対するゲートスタートパルス信号を出力し、垂直ブランク期間においてゲートドライバクロック信号をｋパルスだけ出力し、次フレームの表示期間の先頭からゲートドライバクロック信号の出力を再開する。
前記ゲートドライバは、前記ゲートスタートパルス信号を受けると、前記ゲートドライバクロック信号に同期して前記ゲートドライバの複数の出力端子から順次出力信号を送出する。
【００２５】
本発明の第２の視点に係る駆動方法は、
液晶表示パネルのゲートラインを駆動するゲートドライバの出力数が、該液晶表示パネルの垂直方向の表示ラインの本数よりも多い液晶表示装置の駆動方法であって、
前記表示ラインの本数をｍとし（ｍ≧１）、走査を開始する側における前記ゲートドライバの出力数の余りをｎとすると（１≦ｎ≦ｍ）、前記ゲートドライバの出力に余りがある側から前記ゲートドライバを走査する場合に、前フレームの表示期間の先頭から（ｍ−ｎ＋ｋ＋１）ライン目に（１≦ｋ≦Ｖラインカウンタのカウント値に基づく垂直ブランク期間）、次フレームに対するゲートスタートパルス信号を出力する工程と、
垂直ブランク期間においてゲートドライバクロック信号をｋパルスだけ出力する工程と、
次フレームの表示期間の先頭からゲートドライバクロック信号の入力を再開する工程と、を含む。
前記ゲートドライバは、前記ゲートスタートパルス信号を受けると、前記ゲートドライバクロック信号に同期して前記ゲートドライバの複数の出力端子から順次出力信号を送出する。
【発明の効果】
【００２６】
本発明に係る駆動回路及び駆動方法によると、表示パネルのゲートラインを駆動するゲートドライバの出力数が、表示パネルの垂直方向の表示ラインの本数よりも多い表示装置において、垂直ブランク期間中に走査可能なゲートドライバクロック信号のパルス数よりも出力数の余りが多いゲートドライバを採用することができる。
【図面の簡単な説明】
【００２７】
【図１】本発明の第１の実施形態に係る駆動回路を有する液晶表示装置の構成を示すブロック図である。
【図２】本発明の第１の実施形態に係る駆動回路による駆動方法を示すタイミングチャートである。
【図３】本発明の第１の実施形態に係る駆動回路の構成を示すブロック図である。
【図４】本発明の第１の実施形態に係る駆動回路の動作を示すタイミングチャートである。
【図５】本発明の第２の実施形態に係る液晶表示装置の構成を示すブロック図である。
【図６】本発明の第３の実施形態に係る駆動回路を有する液晶表示装置の構成を示すブロック図である。
【図７】本発明の第３の実施形態に係る駆動回路の構成を示すブロック図である。
【図８】本発明の第３の実施形態に係る駆動回路の動作を示すタイミングチャートである。
【図９】従来の液晶表示装置の駆動方法を示すタイミングチャートである。
【図１０】従来の液晶表示装置の駆動方法を示すタイミングチャートである。
【図１１】特許文献１に記載された液晶ディスプレイモジュールのタイミングチャートである。
【発明を実施するための形態】
【００２８】
本発明の第１の展開形態によると、上記第１の視点に係る駆動回路が提供される。
【００２９】
本発明の第２の展開形態によると、前記ゲートスタートパルス信号を、表示データイネーブル信号に基いて生成する駆動回路が提供される。
【００３０】
本発明の第３の展開形態によると、
表示データイネーブル信号を受け、該表示データイネーブル信号と同一の周期を有する内部基準信号を生成する内部基準信号生成回路と、
前記内部基準信号におけるパルス数をカウントするＶラインカウンタと、
前記表示データイネーブル信号の有無を判定して垂直ブランク期間を識別し、垂直ブランク期間においてアクティブとなるＶブランク判定信号を生成するＶブランク判定回路と、
前記Ｖラインカウンタのカウント値が（ｍ−ｎ＋ｋ＋１）となった場合には制御信号を出力する比較器と、
前記制御信号を受けた場合にはゲートスタートパルス信号を生成するＶＳＰ生成回路と、
前記Ｖラインカウンタのカウント値が（ｍ＋ｋ＋１）となった場合にはＶＣＫ停止信号をアクティブとし、前記Ｖブランク判定信号が非アクティブとなった場合には該ＶＣＫ停止信号を非アクティブとするＶＣＫ停止判定回路と、
前記ＶＣＫ停止信号が非アクティブである期間に限り、前記内部基準信号に基いてゲートドライバクロック信号を生成するＶＣＫ生成回路と、を備えている駆動回路が提供される。
【００３１】
本発明の第４の展開形態によると、前記ゲートスタートパルス信号を、水平同期信号に基いて生成する駆動回路が提供される。
【００３２】
本発明の第５の展開形態によると、
水平同期信号を受け、該水平同期信号と同一の周期を有する内部基準信号を生成する内部基準信号生成回路と、
前記内部基準信号におけるパルス数をカウントするＶラインカウンタと、
前記Ｖラインカウンタのカウント値に基いて垂直ブランク期間を識別し、垂直ブランク期間においてアクティブとなるＶブランク判定信号を生成するＶブランク判定回路と、
前記Ｖラインカウンタのカウント値が（ｍ−ｎ＋ｋ＋１）となった場合には制御信号を出力する比較器と、
前記制御信号を受けた場合にはゲートスタートパルス信号を生成するＶＳＰ生成回路と、
前記Ｖラインカウンタのカウント値が（ｍ＋ｋ＋１）となった場合にはＶＣＫ停止信号をアクティブとし、前記Ｖブランク判定信号が非アクティブとなった場合には該ＶＣＫ停止信号を非アクティブとするＶＣＫ停止判定回路と、
前記ＶＣＫ停止信号が非アクティブである期間に限り、前記内部基準信号に基いてゲートドライバクロック信号を生成するＶＣＫ生成回路と、を備えている駆動回路が提供される。
【００３３】
本発明の第６の展開形態によると、
第１乃至第５のいずれか１の展開形態に記載の駆動回路と、前記駆動回路によって駆動される表示パネルと、を備えている表示装置が提供される。
【００３４】
本発明の第７の展開形態によると、上記第２の視点に係る駆動方法が提供される。
【００３５】
本発明に係る駆動回路及び駆動方法においては、ゲートドライバの余りがある側から走査を開始する場合、前フレームの表示期間の終端から、「ゲートドライバの余り出力分−１」のゲートドライバクロック信号分先行して前フレーム中にゲートスタートパルス信号を生成する。また、垂直ブランク期間の最初の１クロック分だけゲートドライバクロック信号を生成したのちは、次フレームまでゲートドライバクロック信号を停止する。
【００３６】
本発明に係る駆動回路及び駆動方法によると、ゲートドライバの余りがある側から走査を開始する表示装置において、垂直ブランク期間に走査可能なゲートドライバクロック信号のパルス数よりも、出力数の余りが多いゲートドライバを採用することができる。これにより、ゲートドライバを多ピン化しコストダウンを図ることもできる。
【００３７】
また、本発明に係る駆動回路及び駆動方法によると、垂直ブランク期間がフレーム毎に変動しても表示ずれを起こさず、正常に表示することができる。
【００３８】
（実施形態１）
本発明の第１の実施形態に係る駆動回路について、図面を参照して説明する。図１は、本実施形態に係る駆動回路を有する液晶表示装置の構成を示すブロック図である。図１は、ゲートドライバの出力数に余りがある側から走査を開始する場合の液晶表示装置の構成を示す。
【００３９】
図１を参照すると、液晶表示装置は、アクティブマトリクス型の液晶表示（ＬＣＤ：Ｌｉｑｕｉｄ  Ｃｒｙｓｔａｌ  Ｄｉｓｐｌａｙ）パネル３０と、液晶表示パネル３０の信号線を駆動するソースドライバＨ−Ｄｒと、液晶表示パネル３０のゲート線を駆動するゲートドライバＶ−Ｄｒと、ソースドライバＨ−Ｄｒ及びゲートドライバＶ−Ｄｒを制御する駆動回路１０を有する。
【００４０】
ゲートドライバＶ−Ｄｒの走査開始を示すゲートスタートパルス信号ＶＳＰは、ゲートドライバＶ−Ｄｒの出力数に余りがある側から入力され、出力数に余りが有る側から順次走査される。
【００４１】
図２は、本実施形態に係る駆動回路による駆動方法を示すタイミングチャートである。
【００４２】
図２を参照すると、垂直方向の表示ライン数をｍとし、ゲートドライバの余り出力数をｎ（ｎ≧１）として、前フレームの表示期間の先頭から（ｍ−ｎ＋２）ライン目の位置に、次フレームのゲートスタートパルス信号ＶＳＰを出力する。また、垂直ブランク期間には、ゲートドライバクロック信号ＶＣＫを１パルス出力し、その後停止する。ゲートドライバクロック信号ＶＣＫは、次フレームの表示期間の先頭から再開する。
【００４３】
図３は、本実施形態に係る駆動回路１０の構成を示すブロック図である。図３に示した駆動回路１０によって、図２に示した駆動方法を実現する。
【００４４】
図３を参照すると、駆動回路１０は、内部基準信号生成回路１１、Ｖラインカウンタ１２、Ｖブランク判定回路１３、レジスタ１５、１６、比較器１７、ＶＳＰ生成回路１８、ＶＣＫ停止判定回路２１及びＶＣＫ生成回路２２を有する。
【００４５】
内部基準信号生成回路１１は、外部から表示クロック信号ＤＣＫ及び表示データイネーブル信号ＤＥを受け、表示データイネーブル信号ＤＥと同一の周期を有する内部基準信号ＤＥ＿ｉｎｔを生成する。
【００４６】
Ｖラインカウンタ１２は、内部基準信号ＤＥ＿ｉｎｔにおけるパルス数をカウントする。
【００４７】
Ｖブランク判定回路１３は、表示データイネーブル信号ＤＥの有無を判定し、表示期間と垂直ブランク期間を識別する信号を、Ｖブランク判定信号として生成する。
【００４８】
レジスタ１５は、垂直方向の表示ライン数ｍを記憶する。
【００４９】
レジスタ１６は、ゲートドライバＶ−Ｄｒの出力数の余りｎを記憶する。
【００５０】
比較器１７は、Ｖラインカウンタ１２のカウント値と、レジスタ１５、１６に記憶された値ｍ、ｎから決まる値（ｍ−ｎ＋２）とを比較する。比較器１７は、これらの値が一致した場合には、ＶＳＰ生成回路１８に制御信号を出力する。
【００５１】
ＶＳＰ生成回路１８は、比較器１７からの制御信号を受けてゲートスタートパルス信号ＶＳＰを生成する。
【００５２】
ＶＣＫ停止判定回路２１は、Ｖラインカウンタ１２のカウント値がｍ＋２となった場合には、ＶＣＫ停止信号をアクティブとし、Ｖブランク判定回路１３から出力されたＶブランク判定信号が非アクティブとなった（すなわち、垂直ブランク期間が終了した）タイミングで、ＶＣＫ停止信号を非アクティブとする。
【００５３】
ＶＣＫ生成回路２２は、内部基準信号ＤＥ＿ｉｎｔに基いてゲートドライバクロック信号ＶＣＫを生成する。また、ＶＣＫ生成回路２２は、ＶＣＫ停止判定回路２１からのＶＣＫ停止信号に基いて、ゲートドライバクロック信号ＶＣＫをオン／オフする。
【００５４】
ゲートドライバの余りがある側から走査を開始する場合、前フレームの表示期間中にゲートスタートパルス信号を生成し、ゲートドライバの余り出力の走査を前フレーム中に終えておくことで、次フレームの走査開始時にゲートドライバの有効出力の最初の走査線から走査を開始する。
【００５５】
また、カウント値（ｍ＋２）以降、次フレームの走査開始までの垂直ブランク期間にゲートドライバの走査を停止することで、この期間の時間幅に変動があった場合でもゲートドライバの走査は影響されず、次フレームの先頭から正常な表示を行うことができる。
【００５６】
図４は、本実施形態に係る駆動回路１０の動作を示すタイミングチャートである。なお、垂直ブランク期間におけるゲートドライバクロック信号ＶＣＫのパルス数はＺとした。
【００５７】
内部基準信号生成回路１１は、表示データイネーブル信号ＤＥに基いて、表示データイネーブル信号ＤＥと同一の周期を有する内部基準信号ＤＥ＿ｉｎｔを生成する。
【００５８】
Ｖラインカウンタ１２は、内部基準信号ＤＥ＿ｉｎｔにおけるパルス数をカウントする。
【００５９】
Ｖブランク判定回路１３は、表示データイネーブル信号ＤＥの有無を判定し、表示期間と垂直ブランク期間を識別する信号を、Ｖブランク判定信号として生成する。
【００６０】
２つのレジスタ１５、１６は、それぞれ垂直方向の表示ライン数ｍ及びゲートドライバＶ−Ｄｒの出力数の余りｎを記憶している。
【００６１】
比較器１７は、２つのレジスタ１５、１６のレジスタ値とＶラインカウンタ１２の値を参照し、カウント値がｍ−ｎ＋２となった場合には、ＶＳＰ生成回路１８に制御信号を出力する。
【００６２】
ＶＳＰ生成回路１８は、比較器１７から制御信号を受けて、ゲートスタートパルス信号ＶＳＰを生成する。
【００６３】
ＶＣＫ停止判定回路２１は、Ｖイランカウンタ１２の値が（ｍ＋２）となった場合には、ＶＣＫ停止信号をアクティブとし、Ｖブランク判定回路１３のＶブランク判定信号に応じて、ＶＣＫ停止信号を非アクティブとし、ＶＣＫ生成回路２２によるゲートドライバクロック信号ＶＣＫの停止を解除する。
【００６４】
ＶＣＫ生成回路２２は、内部基準信号ＤＥ＿ｉｎｔに従いゲートドライバクロック信号ＶＣＫを生成し、ＶＣＫ停止判定回路２１からの制御信号に従い、ゲートドライバクロック信号ＶＣＫをオン／オフする。
【００６５】
本実施形態では、ゲートドライバクロック信号ＶＣＫを垂直ブランク期間に１パルス出力するものとしているが、１以上の任意の数としてもよい。この場合、垂直ブランク期間中に生成するゲートドライバクロック信号ＶＣＫのパルス数をｋとすると、ゲートスタートパルス信号ＶＳＰを生成する位置は（ｍ−ｎ＋ｋ＋１）となる。
【００６６】
（実施形態２）
本発明の第２の実施形態に係る液晶表示装置について、図面を参照して説明する。図５は、本実施形態に係る液晶表示装置の構成を示すブロック図である。図５は、ゲートドライバの余りが画面の両側に存在する場合の液晶表示装置の構成例を示す。
【００６７】
図５を参照すると、表示領域の前後にゲートドライバＶ−Ｄｒの余りｎ１、ｎ２が配置されている。このとき、上記第１の実施形態の場合と同様に、前フレームの表示期間の先頭から（ｍ−ｎ２＋２）ライン目の位置に、次フレームのゲートスタートパルス信号ＶＳＰを出力すればよい。
【００６８】
（実施形態３）
本発明の第３の実施形態に係る駆動回路について、図面を参照して説明する。本実施形態に係る駆動回路２０は、水平同期信号Ｈ−Ｓｙｎｃ、垂直同期信号Ｖ−Ｓｙｎｃを基準信号入力とする映像信号で動作する液晶表示装置に対して適用することができる。
【００６９】
図６は、本実施形態に係る駆動回路２０を有する液晶表示装置の構成を示すブロック図である。図６を参照すると、液晶表示装置は、ＬＣＤパネル３０と、ＬＣＤパネル３０の信号線を駆動するソースドライバＨ−Ｄｒと、液晶表示パネル３０のゲート線を駆動するゲートドライバＶ−Ｄｒと、ソースドライバＨ−Ｄｒ及びゲートドライバＶ−Ｄｒを制御する駆動回路２０を有する。
【００７０】
図７は、本実施形態に係る駆動回路２０の構成を示すブロック図である。図７を参照すると、駆動回路２０は、内部基準信号生成回路２３、Ｖラインカウンタ１２、Ｖブランク判定回路２５、レジスタ１５、１６、比較器１７、ＶＳＰ生成回路１８、ＶＣＫ停止判定回路２１及びＶＣＫ生成回路２２を有する。
【００７１】
内部基準信号生成回路２３は、水平同期信号Ｈ−Ｓｙｎｃを、決められた表示クロック信号ＤＣＫ数分だけシフトして、第１の実施形態の駆動回路１０における内部基準信号と同等の内部基準信号ＤＥ＿ｉｎｔを生成することにより、上記の第１の実施形態に係る駆動回路１０と同様の動作が可能となる。
【００７２】
また、本実施形態においては、Ｖブランク判定回路２５は、Ｖラインカウンタ１２のカウント値を参照して、垂直ブランク期間を識別するＶブランク判定信号として出力する。
【００７３】
図８は、本実施形態に係る駆動回路２０の動作を示すタイミングチャートである。図８は、表示データイネーブル信号ＤＥではなく、図７に示すように水平同期信号Ｈ−Ｓｙｎｃ及び垂直同期信号Ｖ−Ｓｙｎｃで動作する場合の内部信号の生成例を示す。
【００７４】
本実施形態の駆動回路２０は、水平同期信号Ｈ−Ｓｙｎｃから内部基準信号ＤＥ＿ｉｎｔを生成することにより、表示データイネーブル信号ＤＥを入力する第１の実施形態に係る駆動回路１０（図３）の動作（図４）と、同様の動作が可能となる。
【００７５】
本発明に係る駆動回路によると、ゲートドライバの余りがある側から走査を開始する液晶表示装置において、垂直ブランク期間に走査可能なゲートクロック数よりも出力数の余りが多いゲートドライバを採用することができる。したがって、本発明に係る駆動回路によると、ゲートドライバを多ピン化してコストダウンを図ることもできる。また、本発明に係る駆動回路によると、垂直ブランク期間がフレームごとに変動しても表示ずれを起こすことなく、正常に表示することができる。
【００７６】
上記の各実施形態においては、液晶表示装置に適用する場合について説明した。しかしながら、本発明に係る駆動回路は、水平走査ドライバ及び垂直走査ドライバを有し、水平走査及び垂直走査を行う、有機ＥＬディスプレイその他の固定画素型表示装置にも適用することができる。
【００７７】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００７８】
１０、２０  駆動回路
１１、２３  内部基準信号生成回路
１２  Ｖラインカウンタ
１３、２５  Ｖブランク判定回路
１５、１６  レジスタ
１７  比較器
１８  ＶＳＰ生成回路
２１  ＶＣＫ停止判定回路
２２  ＶＣＫ生成回路
３０  液晶表示（ＬＣＤ）パネル
ＤＣＫ  表示クロック信号
ＤＥ  表示データイネーブル信号
ＤＥ＿ｉｎｔ  内部基準信号
Ｈ−Ｄｒ  ソースドライバ
Ｈ−Ｓｙｎｃ  水平同期信号
Ｖ−Ｄｒ  ゲートドライバ
Ｖ−Ｓｙｎｃ  垂直同期信号
ＶＣＫ  ゲートドライバクロック信号
ＶＳＰ  ゲートスタートパルス信号
【図１】
0005578411.tif 000002
【図２】
0005578411.tif 000003
【図３】
0005578411.tif 000004
【図４】
0005578411.tif 000005
【図５】
0005578411.tif 000006
【図６】
0005578411.tif 000007
【図７】
0005578411.tif 000008
【図８】
0005578411.tif 000009
【図９】
0005578411.tif 000010
【図１０】
0005578411.tif 000011
【図１１】
0005578411.tif 000012